(57)【要約】  放電空間(4)を介して対向配置された前面基板(3)と背面基板(2)とを有するプラズマディスプレイパネルにおいて，背面基板上に蛍光体層(5)が形成され，前面基板上に水平方向に延びる複数の表示電極が形成され，当該表示電極に対応して放電セル領域が画定され，前面基板上には，更に，表示電極間であって放電セル領域内それぞれに，複数本の水平方向に延びる遮光膜(13)が形成されている。そして，放電空間における遮光膜と蛍光体層との距離をＤとしたときに，遮光膜の幅Ｌと遮光膜間距離Ｓとが，０．５８Ｄ≦Ｌ≦Ｄ，Ｄ≦Ｓ≦１．７３Ｄを満たす。これにより外光の反射率を低減し明室コントラストを向上することができる。
2008142728.tif 000002
【特許請求の範囲】
【請求項１】
放電空間を介して対向配置された前面基板と背面基板とを有するプラズマディスプレイパネルにおいて，
前記背面基板上に蛍光体層が形成され，
前記前面基板上に水平方向に延びる複数の表示電極が形成され，当該表示電極に対応して放電セル領域が画定され，
前記前面基板上には，更に，前記表示電極間であって前記放電セル領域内それぞれに，複数本の水平方向に延びる遮光膜が形成され，
前記放電空間における前記遮光膜と蛍光体層との距離をＤとしたときに，当該遮光膜の幅Ｌと遮光膜間距離Ｓとが，０．５８Ｄ≦Ｌ≦Ｄ，Ｄ≦Ｓ≦１．７３Ｄを満たすことを特徴とするプラズマディスプレイパネル。
【請求項２】
請求項１において，
前記複数の表示電極は金属材料を含むバス電極であり，
前記複数の表示電極の幅Ｌｄと，表示電極とそれに隣接する遮光膜との間の距離Ｓｄとが，０．５８Ｄ≦Ｌｄ≦Ｄ，Ｄ≦Ｓｄ≦１．７３Ｄを満たすことを特徴とするプラズマディスプレイパネル。
【請求項３】
請求項１において，
前記複数の表示電極は金属材料を含む導電性のバス電極であり，
前記前面基板上に，前記バス電極の間の領域に当該バス電極に接続される透明電極が形成され，
前記複数の遮光膜はストライプ状であって，前記バス電極の間の領域に配置されていることを特徴とするプラズマディスプレイパネル。
【請求項４】
請求項１において，
前記複数の表示電極は導電性のバス電極であり，
前記複数の遮光膜は導電性材料で形成され，
前記複数の遮光膜のうち第１の遮光膜と第２の遮光膜とが，隣接する１対の前記バス電極と連結部を介してそれぞれ接続されていることを特徴とするプラズマディスプレイパネル。
【請求項５】
請求項３または４において，
前記背面基板上に垂直方向に延びるストライプ状の隔壁を有し，当該隔壁と前記バス電極とにより前記放電セル領域が画定され，
前記前面基板上に前記隔壁の位置に対応して追加の遮光膜が形成されていることを特徴とするプラズマディスプレイパネル。
【請求項６】
請求項３または４において，
前記背面基板上に格子状の隔壁を有し，前記放電セル領域が当該格子状の隔壁で囲まれ，
前記前面基板上に前記隔壁の位置に対応して追加の遮光膜が形成されていることを特徴とするプラズマディスプレイパネル。
【請求項７】
請求項３において，
前記背面基板上に格子状の隔壁を有し，前記放電セル領域が当該格子状の隔壁で囲まれ，
前記複数の遮光膜からなる遮光膜ユニットの中心が，前記放電セル領域の中心より上側にずれていることを特徴とするプラズマディスプレイパネル。
【請求項８】
請求項７において，
前記遮光膜ユニットの上端が前記格子状の隔壁の側壁上に形成された前記蛍光体層より下に位置し，所定角度で入射する外光による前記遮光膜の前記蛍光体層上の影が，前記格子状の隔壁の側壁上に形成された前記蛍光体層より上に位置するように，前記遮光膜ユニットが配置されていることを特徴とするプラズマディスプレイパネル。
【請求項９】
請求項１において，
前記放電セル領域内に設けられる前記複数の遮光膜は，前記放電セル領域の上下端領域での遮光膜間距離より，前記放電セル領域の中央領域での遮光膜間距離が長いことを特徴とするプラズマディスプレイパネル。
【請求項１０】
請求項１において，
前記放電セル領域内に設けられる前記複数の遮光膜は，前記放電セル領域の上下端領域での遮光膜幅より，前記放電セル領域の中央領域での遮光膜間幅が狭いことを特徴とするプラズマディスプレイパネル。
【請求項１１】
請求項１において，
前記放電セル領域内に設けられる前記複数の遮光膜は，前記放電セル領域の中央領域においてのみ，前記Ｄ≦Ｓ≦１．７３Ｄを満たさない前記遮光膜間距離Ｓを有することを特徴とするプラズマディスプレイパネル。
【請求項１２】
放電空間を介して対向配置された前面基板と背面基板とを有するプラズマディスプレイパネルにおいて，
前記背面基板上に蛍光体層が形成され，
前記前面基板上に水平方向に延びる複数の表示電極が形成され，隣接する表示電極間の領域に対応して放電セル領域が画定され，
前記表示電極は，前記放電セル領域上に配置された複数本の水平方向に延びる遮光性の維持電極と，前記表示電極から延在し前記複数本の維持電極を連結する連結部とを有し，
前記放電空間における前記遮光性の維持電極と蛍光体層との距離をＤとしたときに，当該遮光性の維持電極の幅Ｌと維持電極間距離Ｓとが，０．５８Ｄ≦Ｌ≦Ｄ，Ｄ≦Ｓ≦１．７３Ｄを満たすことを特徴とするプラズマディスプレイパネル。
【請求項１３】
請求項１２において，
前記表示電極の前記水平方向に延びる電極と前記遮光性の維持電極と前記連結部とが同じ金属材料で形成されていることを特徴とするプラズマディスプレイパネル。
【発明の詳細な説明】
【技術分野】
【０００１】
本発明は，プラズマディスプレイパネルに関し，特に，簡単な構造でコントラストを向上させたプラズマディスプレイパネルに関する。
【背景技術】
【０００２】
プラズマディスプレイパネルは，プラズマ放電により発生する紫外線で蛍光体を励起し発光させる。その構成は，背面基板上に蛍光体が形成され，前面基板側から蛍光体の発光を見るようになっている。蛍光体は，非発光時において白色または淡い灰色などの乳白色であるため，室内光による外光がパネル内に照射される環境下では，外光で照射された乳白色の蛍光体が前面基板側から観察されることになり，蛍光体の発光による発光光と，外光による蛍光体での反射光とが併存し，コントラストを低下させる。【０００３】
図１は，従来のコントラスト低下を防止したプラズマディスプレイパネルの断面図である。プラズマディスプレイパネル１は，蛍光体層５を有する背面基板２と，表示電極（図示せず）を有する前面基板３とを有し，両基板２，３が放電空間４を隔てて対向配置され，さらに，パネル１の前面側に光透過率αの低いフィルタ６を有する。【０００４】
このフィルタ６を設けることで，パネル１の蛍光体層５の発光による表示光７は，フィルタ６を通過することでその低い光透過率により光量が減衰する。しかし，室内灯などの外光９は，フィルタ６を通過し，その通過した外光１０が蛍光体層５に照射し，そこでの反射光１１が再びフィルタ６を通過し，減衰した反射光１２が外部に出る。つまり，表示光はフィルタ６で１回減衰（α）し，外光９はフィルタ６で２回減衰（αの２乗）する。よって，表示光対外光反射光であるコントラストは，フィルタ６を設けたことで向上することになる。ただし，フィルタ６により表示光８自体の光量は減る。【０００５】
特許文献１，２は，このコントラスト低下を防止する構成を開示している。特許文献１では，水平方向に延びる帯状の表示電極対の間の逆スリット領域に，暗色で帯状の遮光膜を形成し，逆スリット領域から背面基板上の蛍光体が見えないようにしている。しかし，１対の表示電極の間の放電による発光領域には透明電極が形成され，発光領域を介して背面基板上の蛍光体が見える構造になっているので，コントラスト低下防止には一定の限界がある。【０００６】
特許文献２では，水平方向に延びる表示電極対を金属バス電極と透明電極で構成し，透明電極間の放電領域上を水平方向に延びる第３の電極を形成し，第３の電極の幅を透明電極間の放電領域上で太くし，放電領域内の蛍光体を外部から遮蔽することが提案されている。第３の電極はパネル駆動中グランド電位に保たれ，表示電極対の面放電を補助する補助電極として動作するとともに，放電領域内の蛍光体を外部から遮蔽して，コントラストを向上させている。【０００７】
また，特許文献３では，コスト高の原因となる透明電極を形成せず，金属バス電極のみで表示電極対を構成するとともに，金属バス電極をラダー構造のように水平方向に延びる複数本の電極部とそれらを連結する連結部とで構成することが記載されている。この特許文献３はコントラスト向上を目的とするものではない。
【特許文献１】特開平９−１２９１４２
【特許文献２】特開２００６−２０２６２７
【特許文献３】特開２００７−５２９７
【発明の開示】
【発明が解決しようとする課題】
【０００８】
上記の従来例や特許文献１，２，３に比較して，コントラストを向上させることができるプラズマディスプレイパネルが期待されている。特許文献１では，表示電極対間の放電による発光領域には外光反射光を遮蔽するものがなく，よってコントラスト向上に限界がある。また，特許文献２では，発光領域の一部が補助電極で遮蔽されるだけであり，それ以外の発光領域では依然として背面基板上の蛍光体層が前面基板側から見えるので，コントラストの大幅が改善は望めない。また，特許文献３には，コントラスト向上のための構成について記載はない。【０００９】
そこで，本発明の目的は，簡単な構造でコントラストを向上させたプラズマディスプレイパネルを提供することにある。
【課題を解決するための手段】
【００１０】
上記の目的を達成するために，本発明の第１の側面によれば，放電空間を介して対向配置された前面基板と背面基板とを有するプラズマディスプレイパネルにおいて，
前記背面基板上に蛍光体層が形成され，
前記前面基板上に水平方向に延びる複数の表示電極が形成され，当該表示電極に対応して放電セル領域が画定され，
前記前面基板上には，更に，前記表示電極間であって前記放電セル領域内それぞれに，複数本の水平方向に延びる遮光膜が形成され，
前記放電空間における前記遮光膜と蛍光体層との距離をＤとしたときに，当該遮光膜の幅Ｌと遮光膜間距離Ｓとが，０．５８Ｄ≦Ｌ≦Ｄ，Ｄ≦Ｓ≦１．７３Ｄを満たすことを特徴とする。【００１１】
上記の第１の側面において，好ましい態様によれば，前記複数の表示電極は金属材料を含むバス電極であり，前記複数の表示電極の幅Ｌｄと，表示電極とそれに隣接する遮光膜との間の距離Ｓｄとが，０．５８Ｄ≦Ｌｄ≦Ｄ，Ｄ≦Ｓｄ≦１．７３Ｄを満たすことを特徴とする。【００１２】
上記の第１の側面において，好ましい態様によれば，前記複数の表示電極は金属材料を含む導電性のバス電極であり，前記前面基板上に，前記バス電極の間の領域に当該バス電極に接続される透明電極が形成され，前記複数の遮光膜がストライプ状であって，前記バス電極の間の領域に配置されていることを特徴とする。【００１３】
上記の第１の側面において，好ましい態様によれば，前記複数の表示電極は導電性のバス電極であり，前記複数の遮光膜は導電性材料で形成され，前記複数の遮光膜のうち第１の遮光膜と第２の遮光膜とが，隣接する１対の前記バス電極と連結部を介してそれぞれ接続されていることを特徴とする。【００１４】
上記の好ましい態様において，より好ましくは，前記背面基板上に垂直方向に延びるストライプ状の隔壁を有し，当該隔壁と前記バス電極とにより前記放電セル領域が画定され，
前記前面基板上に前記隔壁の位置に対応して追加の遮光膜が形成されていることを特徴とする。【００１５】
上記の好ましい態様において，より好ましくは，前記背面基板上に格子状の隔壁を有し，前記放電セル領域が当該格子状の隔壁で囲まれ，前記前面基板上に前記隔壁の位置に対応して追加の遮光膜が形成されていることを特徴とする。【００１６】
上記の好ましい態様において，より好ましくは，前記背面基板上に格子状の隔壁を有し，前記放電セル領域が当該格子状の隔壁で囲まれ，前記複数の遮光膜からなる遮光膜ユニットの中心が，前記放電セル領域の中心より上側にずれていることを特徴とする。【００１７】
上記の好ましい態様において，より好ましくは，前記遮光膜ユニットの上端が前記格子状の隔壁の側壁上に形成された前記蛍光体層より下に位置し，所定角度で入射する外光による前記遮光膜の前記蛍光体層上の影が，前記格子状の隔壁の側壁上に形成された前記蛍光体層より上に位置するように，前記遮光膜ユニットが配置されていることを特徴とする。【００１８】
上記の第１の側面において，好ましい態様によれば，前記放電セル領域内に設けられる前記複数の遮光膜は，前記放電セル領域の上下端領域での遮光膜間距離より，前記放電セル領域の中央領域での遮光膜間距離が長いことを特徴とする。【００１９】
上記の第１の側面において，好ましい態様によれば，前記放電セル領域内に設けられる前記複数の遮光膜は，前記放電セル領域の上下端領域での遮光膜幅より，前記放電セル領域の中央領域での遮光膜間幅が狭いことを特徴とする。【００２０】
上記の第１の側面において，好ましい態様によれば，前記放電セル領域内に設けられる前記複数の遮光膜は，前記放電セル領域の中央領域においてのみ，前記Ｄ≦Ｓ≦１．７３Ｄを満たさない前記遮光膜間距離Ｓを有することを特徴とする。【００２１】
上記の目的を達成するために，本発明の第２の側面によれば，放電空間を介して対向配置された前面基板と背面基板とを有するプラズマディスプレイパネルにおいて，
前記背面基板上に蛍光体層が形成され，
前記前面基板上に水平方向に延びる複数の表示電極が形成され，隣接する表示電極間の領域に対応して放電セル領域が画定され，
前記表示電極は，前記放電セル領域上に配置された複数本の水平方向に延びる遮光性の維持電極と，前記表示電極から延在し前記複数本の維持電極を連結する連結部とを有し，
前記放電空間における前記遮光性の維持電極と蛍光体層との距離をＤとしたときに，当該遮光性の維持電極の幅Ｌと維持電極間距離Ｓとが，０．５８Ｄ≦Ｌ≦Ｄ，Ｄ≦Ｓ≦１．７３Ｄを満たすことを特徴とする。【００２２】
上記の第１の側面において，好ましい態様によれば，前記表示電極の前記水平方向に延びる電極と前記遮光性の維持電極と前記連結部とが同じ金属材料で形成されていることを特徴とする。
【発明の効果】
【００２３】
本発明によれば，放電セル領域内に複数本の遮光膜を形成し，遮光膜の幅と間隔とを所定の範囲に設定しているので，外光の蛍光体層への照射を一部防ぐと共に蛍光体層に照射された外光の外部への反射光を一部防ぐことができ，外光によるコントラストの低下を大幅に抑制することができる。
【図面の簡単な説明】
【００２４】
【図１】従来のコントラスト低下を防止したプラズマディスプレイパネルの断面図である。
【図２】実施の形態例におけるプラズマディスプレイパネルの概略断面図である。
【図３】別の実施の形態例におけるプラズマディスプレイパネルの概略断面図である。
【図４】遮光膜の幅Ｌの最適範囲を説明する図である。
【図５】遮光膜の間隔Ｓの最適範囲を説明する図である。
【図６】第１の実施の形態におけるプラズマディスプレイパネルの断面図である。
【図７】第１の実施の形態におけるプラズマディスプレイパネルの平面図である。
【図８】第１の実施の形態におけるプラズマディスプレイパネルの変型例を示す平面図である。
【図９】第２の実施の形態におけるプラズマディスプレイパネルの平面図である。
【図１０】第２の実施の形態におけるプラズマディスプレイパネルの変型例の平面図である。
【図１１】第３の実施の形態におけるプラズマディスプレイパネルの断面図である。
【図１２】第４の実施の形態におけるプラズマディスプレイパネルの平面図である。
【図１３】第４の実施の形態におけるプラズマディスプレイパネルの変型例の平面図である。
【符号の説明】
【００２５】
１：パネル                          ２：背面基板
３：前面基板                        ４：放電空間
５：蛍光体層                        ９：外光
１３：遮光膜                    １００：観察方向
【発明を実施するための最良の形態】
【００２６】
以下，図面にしたがって本発明の実施の形態について説明する。但し，本発明の技術的範囲はこれらの実施の形態に限定されず，特許請求の範囲に記載された事項とその均等物まで及ぶものである。【００２７】
［本発明の原理］
図２は，実施の形態例におけるプラズマディスプレイパネルの概略断面図である。プラズマディスプレイパネル１は，観察方向１００に対して手前側に配置される前面基板３と，背面側に配置される背面基板２とを有し，両基板間には放電ガスが封入された放電空間４が形成される。背面基板２上には蛍光体層５が形成されている。現在普及している３電極，面放電型のパネルでは，背面基板２上に垂直方向（紙面の上下方向）に延びる複数のアドレス電極（図示せず）とアドレス電極間の隔壁（図示せず）が形成され，前面基板３上に水平方向（紙面に垂直な方向）に延びる複数の表示電極（図示せず）が形成され，表示電極は誘電体層と保護層６で被覆されている。【００２８】
上記のパネル１において，前面基板３上に水平方向（紙面に垂直な方向）に延びるストライプ状の遮光膜１３が複数本形成されている。この遮光膜１３は，例えば暗色（または黒色）の金属層または感光体層などで構成され，パネル１の上部から所定の角度で入射する外光９の一部を遮光して放電空間４に露出されている蛍光体層５への入射９Ａを遮断する。また，遮光膜１３は，遮光膜の間の領域から入射する外光９Ｂであって蛍光体層５で反射する反射光を外部に漏れるのを遮断する。ストライプ状の遮光膜１３の幅Ｌと間隔Ｓを最適化することで，この反射光のほとんどを遮断することができる。さらに，遮光膜１３自体が暗色であるので外光９が吸収され，遮光膜で外光の反射はほとんどない。【００２９】
図２の例では，複数のストライプ状の遮光膜１３の幅Ｌと間隔Ｓが，前面基板側の遮光膜１３と背面基板側の蛍光体層５の表面との距離をＤとすると，Ｓ＝Ｄ，Ｌ＝Ｄに設計されている。例えば距離Ｄが１００μｍとすると，複数のストライプ状の遮光膜１３の幅Ｌと間隔Ｓも１００μｍである。この構成において，外光９が斜め上方４５°で入射する場合，観察方向１００において，外光９Ａに対する遮光膜１３の蛍光体層５上の影１３Ｓが，遮光膜間の領域Ｓの位置と完全に一致する。また，観察方向１００において，外光９Ｂによる蛍光体層５上の照射領域が，隣接する遮光膜１３の位置と完全に一致する。したがって，蛍光体層５で反射する外光が外部に漏れることはない。そのため，パネル１が放電により発生する表示光は遮光膜１３により約５０％が遮光されるものの，その表示光と外光の反射光との比である明室コントラスト（室内灯による明るい部屋内でのパネルの発光領域と非発光領域とのコントラスト）は，理論上無限大に大きくなる。図１で示したフィルタを設ける場合に比較するとコントラストは大幅に改善される。【００３０】
上記の通り，２本の表示電極に対応する放電セル領域内に，上記Ｓ＝Ｌ＝Ｄを満たす複数本のストライプ状の遮光膜１３を設けることで，４５°の外光に対して明室コントラストを大幅に改善することができる。【００３１】
図３は，別の実施の形態例におけるプラズマディスプレイパネルの概略断面図である。図２の例では，外光が斜め上方４５°から入射すると仮定して，遮光膜の幅Ｌと間隔ＳがＳ＝Ｌ＝Ｄでコントラストが最大に改善されることを説明した。しかし，プラズマディスプレイパネルが設置される環境下に応じて外光の入射角度は異なる。そこで，外光の入射角度が３０°〜６０°の範囲内になると仮定して，遮光膜の幅Ｌと間隔Ｓの最適値を説明する。【００３２】
外光９−１のように入射角が３０°の場合は，Ｌ＝Ｓ＝Ｄ×tan30≒０．５８Ｄにすると，遮光膜１３の影１３Ｓが遮光膜間の領域Ｓの位置と完全に一致し，外光の反射光は実質ゼロになり，図２と同様にコントラストが大幅に改善できる。同様に，外光９−２のように入射角が６０°の場合は，Ｌ＝Ｓ＝Ｄ×tan60≒１．７３Ｄにすると，遮光膜１３の影１３Ｓが遮光膜間の領域Ｓの位置と完全に一致し，図２と同様にコントラストが大幅に改善できる。【００３３】
そして，図３に示されるとおり，複数のストライプ状の遮光膜１３を，Ｌ＝Ｄ×tan30≒０．５８Ｄ，Ｓ＝Ｄ×tan60≒１．７３Ｄにすると，外光９が３０°〜６０°のいずれの入射角であっても，観察方向１００からみると，遮光膜１３の蛍光体層５上の影１３Ｓは，影を形成した遮光膜１３の背面に隠れることはなく，下側に隣接する遮光膜１３の背面に隠れることもない。つまり，外光の入射角３０°〜６０°の範囲では，影１３Ｓは図示されるとおり隣接する遮光膜１３との間の領域Ｓ内のいずれかの位置になり，領域Ｓ内の影１３Ｓを除く蛍光体層５での反射光のみが観察方向１００から見えることになる。よって，外光の入射角３０°〜６０°の範囲であれば，外光の反射光は一定量になる。【００３４】
上記のＬ＝０．５８Ｄ，Ｓ＝１．７３Ｄの構成の場合，パネル１が発する表示光の複数の遮光膜１３による透過率αは，
α＝Ｓ／（Ｌ＋Ｓ）＝１．７３Ｄ／（１．７３Ｄ＋０．５８Ｄ）≒０．７４８９
になる。また，外光９の反射率βは，蛍光体層５に映る影１３Ｓを除いた蛍光体層５が遮光膜１３の間の領域を介して観察方向１００から見えるので，
β＝（Ｌ−Ｓ）／（Ｌ＋Ｓ）
＝（１．７３Ｄ−０．５８Ｄ）／（１．７３Ｄ＋０．５８Ｄ）≒０．４９７８
になる。【００３５】
一方，図１に示したフィルタの透過率を０．５とすると，表示光の透過率は０．５，反射光の反射率は０．５の２乗で０．２５となる。よって，規格化された明室コントラストを示すαＰ／√β（ここでＰは表示光量，αは透過率，βは反射率）で比較すると，透過率０．５のフィルタでは明室コントラストは１．０Ｐになり，図３の例では明室コントラストは１．０６Ｐとなり，図３の例は透過率０．５のフィルタを設けた例よりも約６％だけ明室コントラストが向上する。ただし，図２の入射角４５°の場合にＳ＝Ｌ＝Ｄの遮光膜を形成した例よりもコントラストの改善は小さい。【００３６】
そこで，本発明者が鋭意検討した結果，以下の考え方に基づき，複数の遮光膜の幅Ｌと間隔Ｓとを，０．５８Ｄ≦Ｌ≦Ｄ，Ｄ≦Ｓ≦１．７３Ｄに設計すると，外光の入射角が３０°〜６０°の範囲で明室コントラストが高く維持されることが判明した。以下，その考え方を説明する。【００３７】
図４は，遮光膜の幅Ｌの最適範囲を説明する図である。本実施の形態の遮光膜は，複数のストライプ状の遮光膜で構成され，その幅Ｌと間隔Ｓの外光入射角３０°〜６０°の範囲内での最適値を求めることはかならずしも容易ではない。その理由は，変動要因として幅Ｌ，間隔Ｓ，入射角があり，それらを変数として求められる明室コントラストが高くなる場合を見出す必要があるからである。【００３８】
遮光膜の幅Ｌについて言えば，幅Ｌが大きくなると観察方向１００から見て遮光膜１３Ａにより形成される影１３Ｓが遮光膜１３Ａの背後に隠れてしまい，外光の反射率が低下する。また，遮光膜の間隔Ｓについて言えば，間隔Ｓが小さくなると遮光膜１３Ａにより形成される影１３Ａが隣の遮光膜１３Ｂの背後に隠れてしまい，同様に外光の反射率が低下する。つまり，影１３Ｓが遮光膜１３Ａ，１３Ｂの背後に隠れないようにすることが，観察方向１００から見て蛍光体層５での外光反射量を減らすことになる。よって，影１３Ｓが遮光膜の背後に隠れないようにするという観点でコントラストが高くなる場合を説明する。【００３９】
図４では，間隔Ｓが十分に大きく（Ｓ≧１．７３Ｄ），影１３Ｓが隣の遮光膜１３Ｂにより隠れないとの前提で，コントラストが高くなる幅Ｌの範囲を検討する。図４に示される遮光膜１３Ａの幅Ｌ０＜０．５８Ｄ，Ｌ１＝０．５８Ｄ，Ｌ２＝Ｄ，Ｌ３＝１．７３Ｄそれぞれについて，外光入射角３０°〜６０°の範囲でのコントラストは，図４に示したグラフの通りである。【００４０】
まず，幅Ｌ０＜０．５８Ｄの場合は，入射角３０°でも影１３Ｓが遮光膜１３Ａの背後に隠れることはなく，入射角４５°，６０°でも当然に隠れないので，コントラスト（一点鎖線）は一定になる。ただし，幅Ｌ０が狭いので反射率は高くコントラストも低くなる。【００４１】
幅Ｌ１＝０．５８Ｄの場合も，入射角３０°でも影１３Ｓが遮光膜１３Ａの背後に隠れることはなく，入射角４５°，６０°でも当然に隠れないので，コントラスト（破線）は一定になる。ただし，幅Ｌ１はＬ０より大きいのでＬ０の場合よりも反射率は低下しコントラストは高くなる。【００４２】
次に，幅Ｌ２＝Ｄの場合は，入射角４５°から６０°の間では影１３Ｓが遮光膜１３Ａの背後に隠れることはなくコントラストは一定で，幅Ｌ２はＬ１より大きいので幅Ｌ１の場合よりも反射率は低下しコントラスト（実線）はＬ１より高くなる。しかし，入射角が４５°より小さくなると影１３Ｓが遮光膜１３Ａの背後に隠れるので，入射角が４５°から小さくなるにつれてコントラストは小さくなる。【００４３】
最後に，幅Ｌ３＝１．７３Ｄの場合は，入射角６０°であれば影１３Ｓが遮光膜１３Ａの背後に隠れず，コントラストが最も高くなるが，６０°未満では影１３Ｓが遮光膜１３Ａの背後に隠れる。よって，反射率は入射角が６０°未満で上昇するので，コントラスト（二点鎖線）は低下する。【００４４】
図４のグラフに示されるとおり，幅Ｌは，０．５８Ｄ≦Ｌ≦Ｄにすれば，入射角３０°〜６０°の範囲で比較的高いコントラストが期待できる。ただし，上記の考察は間隔Ｓが十分に大きいことが前提であるので，かならずしも絶対的ではない。また，入射角３０°でのＬ２とＬ１のコントラストの上下関係も，他の要因次第では逆転する可能性が考えられる。【００４５】
図５は，遮光膜の間隔Ｓの最適範囲を説明する図である。図５に示される遮光膜１３Ａの間隔Ｓ０＞１．７３Ｄ，Ｓ１＝１．７３Ｄ，Ｓ２＝Ｄ，Ｓ３＝０．５８Ｄそれぞれについて，外光入射角３０°〜６０°の範囲でのコントラストは，図５に示したグラフの通りである。ただし，前提として遮光膜の幅Ｌは十分に小さく（Ｌ≦０．５８Ｄ），影１３Ｓがその影を形成した遮光膜１３Ｂの背後に隠れないとの前提で，コントラストが高くなる間隔Ｓの範囲を検討する。【００４６】
まずＳ０＞１．７３Ｄの場合は，遮光膜１３Ｂによる影１３Ｓは入射角３０°〜６０°の範囲では隣の遮光膜１３Ｃの背後に隠れることはないので，反射率は一定であり，コントラスト（一点鎖線）も一定になる。Ｓ１＝１．７３Ｄの場合も，入射角３０°〜６０°の範囲で影１３Ｓは隣の遮光膜１３Ｃの背後に隠れることはないので，反射率は一定であり，コントラスト（破線）も一定になる。ただし，間隔Ｓ１はＳ０より狭いので反射率は低下し，コントラストはＳ０よりも高くなる。【００４７】
次に，Ｓ２＝Ｄの場合は，入射角６０°では遮光膜１３Ｂによる影１３Ｓは隣の遮光膜１３Ｃの背後に隠れるので，反射率は高くなり，コントラスト（実線）は低下する。ただし，入射角３０°〜４５°の範囲なら遮光膜１３Ｂによる影１３Ｓは隣の遮光膜１３Ｃの背後には隠れないので有効に外光の反射を抑制でき，反射率は低くなり，コントラスト（実線）も高くなる。【００４８】
最後に，Ｓ３＝０．５８Ｄの場合は，入射角３０°で影１３Ｓは隣の遮光膜１３Ｃの背後には隠れないが，それ以外の角度では隠れることになる。よって，入射角が大きくなるにつれて反射率が低下し，コントラスト（二点鎖線）も低下する。【００４９】
図５のグラフに示されるとおり，間隔Ｓは，Ｄ≦Ｓ≦１．７３Ｄにすれば，入射角３０°〜６０°の範囲で比較的高いコントラストが期待できる。ただし，上記の考察は幅Ｌが十分に小さいことが前提であるので，かならずしも絶対的ではない。また，入射角６０°でのＳ２とＳ１のコントラストの上下関係も，他の要因次第では逆転する可能性が考えられる。【００５０】
［実施の形態例］
図６は，第１の実施の形態におけるプラズマディスプレイパネルの断面図である。また，図７は，その平面図である。図６には，図７の断面Ｘ−Ｙが示されている。図６に示されるとおり，背面基板２上には垂直方向に延びるアドレス電極１０と，その上の誘電体層７及び蛍光体層５が形成される。また，図７に示されるとおり背面基板２上にはアドレス電極の間に放電セル領域１５を画定する隔壁（リブ）１６が形成されている。図７の例では，隔壁（リブ）１６はパネルの垂直方向に延びる帯状パターンである。【００５１】
一方，前面基板３の上には導電性の透明電極１２とＣｒ／Ｃｕ／Ｃｒの積層構造の金属層によるバス電極１４とが形成され，その上に誘電体層６を介してパネルの水平方向に延びるストライプ状の遮光膜１３が複数形成される。図７に示されるとおり，バス電極１４は，表示ラインに沿って横方向に延びる複数本のストライプ形状の電極であり，パネルの表示電極である。バス電極１４は，放電セル領域１５の上下を画定し，１対のバス電極１４の間に放電セル領域１５が形成される。また，透明電極１２は，例えばＩＴＯなどで形成され，図７に示すとおりバス電極１４から放電セル領域１５内に突出するＴ字形状を有する。上下のバス電極１４に接続された透明電極１２は，放電ギャップを介して互いに対向して配置され，上下のバス電極間に維持放電電圧が印加された時に，透明電極１２間で放電を開始する。そして，透明電極１２，バス電極１４は，ガラス材料などからなる誘電体層６で被覆され，その上の遮光膜１３も誘電体層６で被覆され，誘電体層６の表面には酸化マグネシウムなどの保護膜が形成される。【００５２】
遮光膜１３は，バス電極１４と透明電極１２からなる表示電極とは，誘電体層６を介して分離されていることが望ましい。遮光膜１３を表示電極１２，１４から分離させることにより表示電極との反応を抑制することができる。ただし，遮光膜と透明電極とを接触させて形成してもよい。【００５３】
第１の実施の形態では，バス電極１４と一方側の隣接するバス電極との間と，他方側の隣接するバス電極との間とに，それぞれ放電セル領域を有する，いわゆるＡＬｉＳタイプのパネルの例である。よって，表示駆動はインターレスで行われる。【００５４】
放電セル領域１５は，図７の左右の隔壁（リブ）１６と上下のバス電極１４により画定される矩形領域であり，９００×５１０μｍのサイズである。そして，この放電セル領域１５内に，４本の遮光膜１３が形成されている。また，このパネルの遮光膜１３と蛍光体層５の表面との距離Ｄは約１００μｍである。図７にそれ以外の具体的なサイズが示されているが，バス電極１４の幅は１００μｍ，遮光膜１３の幅Ｌは６０μｍ，バス電極と遮光膜との間隔は１００μｍ，遮光膜の間隔Ｓは１００μｍである。ただし，放電セル領域１５の中央のみ遮光膜の間隔Ｓは１６０μｍになっている。バス電極１４はＣｒ／Ｃｕ／Ｃｒからなる金属材料であるので，それ自体が暗色であり，遮光膜としても機能する。【００５５】
Ｄ＝１００μｍであるので，上記のサイズの幅Ｌ，間隔Ｓいずれもが０．５８Ｄ≦Ｌ≦Ｄ，Ｄ≦Ｓ≦１．７３Ｄの範囲内に設計されていることが理解できる。【００５６】
図７において，放電セル１５内で維持放電が生じるが表示光の光量分布は放電セルの中央部分が最も高く周辺ほど低くなる傾向にある。そこで，遮光膜の幅Ｌを，バス電極１４に近い遮光膜の幅よりも放電セル１５の中央部に近い遮光膜の幅を細くすることで，表示光の光量を増大させ，コントラストを高めることができる。逆に，遮光膜の間隔Ｓを，バス電極１４に近い遮光膜の間隔よりも放電セル１５の中央部に近い遮光膜の間隔を広くすることで，表示光の光量を増大させ，コントラストを高めることもできる。遮光膜の幅Ｌと間隔Ｓを組み合わせて上記のようにすることも好ましい。さらに，放電セル領域の中央部分でのみ遮光膜の間隔ＳをＤ≦Ｓ≦１．７３Ｄの範囲より広くすることでも良い。つまり，中央部分のみ例外的に間隔Ｓを大きくして，表示光の遮断量を減らすことができる。【００５７】
図８は，第１の実施の形態におけるプラズマディスプレイパネルの変型例を示す平面図である。この変型例は，バス電極１４，透明電極１２，隔壁（リブ）１６，放電セル１５は図７と同じである。ただし，遮光膜１３Ｖが前面基板上であってストライプ状の隔壁（リブ）１６の位置にも形成されている。隔壁（リブ）１６は通常ガラスペーストを焼成して形成されるので，透明または半透明になるので，その位置にも追加の遮光膜１３Ｖを形成することが望ましい。さらに，上下のバス電極１４の間には２本の遮光膜１３が形成されていて，図７と比較すると，放電セル１５の中央に位置していた２本の遮光膜１３が除去されている。その分，バス電極１４と遮光膜１３との間隔は１５０μｍと広くなっている。このような構成でも，暗色のバス電極１４とその間の複数の遮光膜１３とによる遮光手段が，放電セルの中央部分を除いて，０．５８Ｄ≦Ｌ≦Ｄ，Ｄ≦Ｓ≦１．７３Ｄの範囲内に設計されているので，コントラストを高くすることができる。ただし，上記Ｓはバス電極１４と遮光膜１３との間隔，Ｌはバス電極と遮光膜の幅に対応する。【００５８】
図９は，第２の実施の形態におけるプラズマディスプレイパネルの平面図である。第２の実施の形態は，第１の実施の形態と異なり，背面基板上に形成される隔壁（リブ）１６が格子形状を有する。いわゆるボックスリブと称される隔壁構造であり，放電セル１５は上下左右の隔壁１６により画定されている。また，水平方向に延びる隔壁の位置に，表示電極として水平方向に延びるバス電極１４が設けられている。そして，上下のバス電極１４の間の放電セル領域１５内に４本のストライプ状の遮光膜１３が形成されている。４本の遮光膜１３の幅Ｌと間隔Ｓとは，図示されるサイズであり，これらは０．５８Ｄ≦Ｌ≦Ｄ，Ｄ≦Ｓ≦１．７３Ｄの範囲内にある。また，バス電極１４と遮光膜１３との間の間隔やバス電極の幅も，０．５８Ｄ≦Ｌ≦Ｄ，Ｄ≦Ｓ≦１．７３Ｄの範囲内にある。【００５９】
さらに，ボックスリブの場合は，水平方向に延びる隔壁１６の位置にも遮光膜１３Ｈが追加して形成されている。そして，第２の実施の形態は，各表示ラインに対応して上下１対のバス電極１４が設けられ，バス電極１４には放電セル領域１５内に配置された矩形の透明電極１２が電気的に接続して形成される。また，水平方向に延びる隔壁１６の上には，上下の放電セル１５に対応して２本のバス電極１４が形成される。よって，このパネルは，表示駆動がノンインターレスで行われる。そして，水平方向に延びる隔壁１６の位置にも遮光膜１３が形成されている。【００６０】
図１０は，第２の実施の形態におけるプラズマディスプレイパネルの変型例の平面図である。図９と異なる構成は，表示セル１５内に配置される遮光膜１３が放電セル１５の幅と同じ長さを有し，垂直方向に延びる隔壁（リブ）１６の位置に追加の遮光膜１３Ｖが配置され，複数の遮光膜１３が追加の遮光膜１３Ｖで連結されていることである。それ以外の，ボックスリブ１６，追加の遮光膜１３Ｈ，矩形の透明電極１２，ノンインターレスタイプなどは図９と同じある。また，複数の遮光膜１３は，バス電極１４との間の間隔も含めて，幅Ｌと間隔Ｓとは，０．５８Ｄ≦Ｌ≦Ｄ，Ｄ≦Ｓ≦１．７３Ｄの範囲内にある。【００６１】
図９，図１０の第２の実施の形態においても，放電セル領域内の複数の遮光膜１３の幅と間隔を，放電セル領域の中央部分ではそれぞれ狭い幅，広い間隔にすることで，表示光の光量を多くしてコントラストを高めることもできる。【００６２】
図１１は，第３の実施の形態におけるプラズマディスプレイパネルの断面図である。このパネルは，図９，１０に示したボックスリブ構造で，バス電極に重ねて形成された透明電極を有する構造に適用される。図１１に示されるとおり，ボックスリブ構造では，放電セル領域１５の上下にも隔壁（リブ）１６が形成され，その隔壁（リブ）１６の側壁上まで蛍光体層１５が形成される。蛍光体層１５を隔壁（リブ）１６の側壁上まで延在させることで発光強度を高めることができる。【００６３】
図１１に示されるとおり，放電セル領域１５内に配置される複数本のストライプ状の遮光膜１３の中心位置１３Ｘは，放電セル１５の中心位置１５Ｘよりも上側にずれている。ただし，複数本の遮光膜１３の上端の位置は，隔壁（リブ）１６の側壁上の蛍光体層１５よりも下側に配置される。このようにすることで，まず，複数の遮光膜の中心位置１３Ｘを放電セルの中心位置１５Ｘより上方にずれているので，斜め上方からの外光９による遮光膜１３の影１３Ｓ（破線２０２に沿って形成される影）が，隔壁の側面上の蛍光体層１５に映らないようにすることができる。影１３Ｓが隔壁の側面上の蛍光体層１５に映し出されると，観察方向１００から見える影１３Ｓの面積が小さくなり，外光の反射抑制効率が低下する。また，複数本の遮光膜１３の上端の位置は，隔壁（リブ）１６の側壁上の蛍光体層１５よりも下側に配置されるので，観察方向１００から見ると，破線２００のように，遮光膜１３が背面基板２上の平坦な位置の蛍光体層１５に入射される外光の反射光を有効に遮断することができる。放電セル１５の上端の隔壁１６の側壁上の蛍光体層１５には外光の反射光はそれほど多くないので，その位置に遮光膜１３を形成しても外光の反射抑制効果は小さい。【００６４】
図１１の実施の形態によれば，図９，図１０に示される４本の遮光膜１３からなる遮光膜ユニット１３Ｇの位置が上側にずれて，遮光膜ユニット１３Ｇの中心位置と放電セル１５の中心位置とが図１１のようにずれることになる。【００６５】
図１２は，第４の実施の形態におけるプラズマディスプレイパネルの平面図である。この実施の形態では，透明電極を設けず，バス電極材料のみで表示電極が構成されている。そして，バス電極１４は，放電セル領域１５内に配置された２本のストライプ状の電極兼遮光膜１３と遮光膜１３及びバス電極１４とを連結する連結部１７と一体に形成されている。すなわち，パネルの水平方向に延びるバス電極１４は，各セル領域１５に対応して，２本の遮光膜１３と連結部１７とからなるユニットを上下に有する。これらは，例えばＣｒ／Ｃｕ／Ｃｒの積層構造の暗色の金属層構造により一体に形成される。【００６６】
図１２は，図７，８と同様に，隣接するバス電極１４の間が全て放電セル１５になるＡＬｉＳパネルである。そして，放電セル１５内で，上下のバス電極１４にそれぞれ連結された遮光膜１３が近接している。よって，上下のバス電極１４に維持放電電圧が印加されると，近接する遮光膜１３間で放電が開始する。つまり，複数本の遮光膜１３は，遮光機能に加えて維持電極としての機能も有する。よって，バス電極１４と複数本のストライプ状の維持電極（遮光膜）１３とが，外光の反射率を低減するように，その幅と間隔が適切な値に設計される。【００６７】
放電セル１５内の４本の遮光膜１３の幅Ｌ＝６０μｍと間隔Ｓ＝１００μｍとは，いずれもＤ＝１００μｍでは，０．５８Ｄ≦Ｌ≦Ｄ，Ｄ≦Ｓ≦１．７３Ｄの範囲内にある。また，バス電極１４も遮光膜の機能を有し，バス電極１４の幅１００μｍと，バス電極１４と遮光膜１３との間隔１３０μｍも，０．５８Ｄ≦Ｌ≦Ｄ，Ｄ≦Ｓ≦１．７３Ｄの範囲内にある。したがって，図１２の例では，バス電極１４と遮光膜１３とによる構造で，外光の反射率を低下させて，コントラストを高めることができる。【００６８】
図１３は，第４の実施の形態におけるプラズマディスプレイパネルの変型例の平面図である。このパネルは，ボックスリブ構造であり，各放電セル１５に１対のバス電極１４が設けられるノンインターレスタイプであることが，図１２と異なる。透明電極を設けずに，暗色の金属層構造によりバス電極１４と遮光膜１３と連結部１７とが一体に形成されていることは，図１２と同じである。ただし，遮光膜と遮光膜を連結し，更に遮光膜とバス電極１４を連結する連結部１７は，遮光膜１３の左右にそれぞれ形成されていることも，図１２と異なる。【００６９】
そして，１対のバス電極１４が水平方向に延びるリブ１６の位置に配置され，バス電極１４の幅は６０μｍである。また，複数の遮光膜１３の幅６０μｍと間隔１００μｍ，遮光膜とバス電極との間隔１００μｍ，バス電極の幅６０μｍは，全て０．５８Ｄ≦Ｌ≦Ｄ，Ｄ≦Ｓ≦１．７３Ｄの範囲内にある。【００７０】
図１２，図１３に示した第４の実施の形態では，透明電極を設けていないので，コストダウンに寄与する。そして，暗色の金属電極からなる遮光膜１３が放電セル１５の領域全面に配置されていても，前述した原理によりパネル上方斜めからの外光の反射率を抑制することができるので，明室コントラストを向上させることができる。図１２，図１３では，バス電極１４と共に遮光膜１３も同じ膜形成工程とパターニング工程とにより形成することができ，構成がシンプルでコストダウンに寄与する。【００７１】
図１２，図１３の第４の実施の形態において，放電セル１５内の複数の遮光膜１３の幅と間隔は，放電セル１５の中央部分の高い発光強度を有する表示光を生かすために，放電セルの上下の周辺領域よりも中央部分でより狭い幅とより広い間隔にしてもよい。さらに，放電セル１５の中央部分のみ部分的に遮光膜１３の間隔ＳをＤ≦Ｓ≦１．７３Ｄの範囲より広くして，中心部分の発光による表示光の透過率を高めるようにしてもよい。【００７２】
以上説明したとおり，本実施の形態によれば，パネルの水平方向に延びる表示電極の間の放電セル領域内に，複数の暗色のストライプ状の遮光膜を設け，その複数の遮光膜の幅Ｌと間隔Ｓを前述の範囲に設計している。その結果，パネルの全面側にフィルタを設ける場合に比較して，明室コントラストを向上させることができる。
【産業上の利用可能性】
【００７３】
明室コントラストの高いプラズマディスプレイパネルを提供することができる。
【図１】
2008142728.tif 000003
【図２】
2008142728.tif 000004
【図３】
2008142728.tif 000005
【図４】
2008142728.tif 000006
【図５】
2008142728.tif 000007
【図６】
2008142728.tif 000008
【図７】
2008142728.tif 000009
【図８】
2008142728.tif 000010
【図９】
2008142728.tif 000011
【図１０】
2008142728.tif 000012
【図１１】
2008142728.tif 000013
【図１２】
2008142728.tif 000014
【図１３】
2008142728.tif 000015
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
放電空間を介して対向配置された前面基板と背面基板とを有するプラズマディスプレイパネルにおいて，
前記背面基板上に蛍光体層が形成され，
前記前面基板上に水平方向に延びる複数の表示電極が形成され，当該表示電極に対応して放電セル領域が画定され，
前記前面基板上には，更に，前記表示電極間であって前記放電セル領域内それぞれに，複数本の水平方向に延びる遮光膜が形成され，
前記放電空間における前記遮光膜と蛍光体層との距離をＤとしたときに，当該遮光膜の幅Ｌと遮光膜間距離Ｓとが，０．５８Ｄ≦Ｌ≦Ｄ，Ｄ≦Ｓ≦１．７３Ｄを満たすことを特徴とするプラズマディスプレイパネル。
【請求項２】
請求項１において，
前記複数の表示電極は金属材料を含むバス電極であり，
前記複数の表示電極の幅Ｌｄと，表示電極とそれに隣接する遮光膜との間の距離Ｓｄとが，０．５８Ｄ≦Ｌｄ≦Ｄ，Ｄ≦Ｓｄ≦１．７３Ｄを満たすことを特徴とするプラズマディスプレイパネル。
【請求項３】
請求項１において，
前記複数の表示電極は金属材料を含む導電性のバス電極であり，
前記前面基板上に，前記バス電極の間の領域に当該バス電極に接続される透明電極が形成され，
前記複数の遮光膜はストライプ状であって，前記バス電極の間の領域に配置されていることを特徴とするプラズマディスプレイパネル。
【請求項４】
請求項１において，
前記複数の表示電極は導電性のバス電極であり，
前記複数の遮光膜は導電性材料で形成され，
前記複数の遮光膜のうち第１の遮光膜と第２の遮光膜とが，隣接する１対の前記バス電極と連結部を介してそれぞれ接続されていることを特徴とするプラズマディスプレイパネル。
【請求項５】
請求項３または４において，
前記背面基板上に垂直方向に延びるストライプ状の隔壁を有し，当該隔壁と前記バス電極とにより前記放電セル領域が画定され，
前記前面基板上に前記隔壁の位置に対応して追加の遮光膜が形成されていることを特徴とするプラズマディスプレイパネル。
【請求項６】
請求項３または４において，
前記背面基板上に格子状の隔壁を有し，前記放電セル領域が当該格子状の隔壁で囲まれ，
前記前面基板上に前記隔壁の位置に対応して追加の遮光膜が形成されていることを特徴とするプラズマディスプレイパネル。
【請求項７】
請求項３において，
前記背面基板上に格子状の隔壁を有し，前記放電セル領域が当該格子状の隔壁で囲まれ，
前記複数の遮光膜からなる遮光膜ユニットの中心が，前記放電セル領域の中心より前記水平方向に直交する方向における上側にずれていることを特徴とするプラズマディスプレイパネル。
【請求項８】
請求項７において，
前記遮光膜ユニットの前記水平方向に直交する方向における上端が前記格子状の隔壁の側壁上に形成された前記蛍光体層より前記水平方向に直交する方向における下側に位置し，所定角度で入射する外光による前記遮光膜の前記蛍光体層上の影が，前記格子状の隔壁の側壁上に形成された前記蛍光体層より前記水平方向に直交する方向における上側に位置するように，前記遮光膜ユニットが配置されていることを特徴とするプラズマディスプレイパネル。
【請求項９】
請求項１において，
前記放電セル領域内に設けられる前記複数の遮光膜は，前記放電セル領域の前記水平方向に直交する方向における上下端領域での遮光膜間距離より，前記放電セル領域の中央領域での遮光膜間距離が長いことを特徴とするプラズマディスプレイパネル。
【請求項１０】
請求項１において，
前記放電セル領域内に設けられる前記複数の遮光膜は，前記放電セル領域の前記水平方向に直交する方向における上下端領域での遮光膜幅より，前記放電セル領域の中央領域での遮光膜間幅が狭いことを特徴とするプラズマディスプレイパネル。
【請求項１１】
請求項１において，
前記放電セル領域内に設けられる前記複数の遮光膜は，前記放電セル領域の中央領域においてのみ，前記Ｄ≦Ｓ≦１．７３Ｄを満たさない前記遮光膜間距離Ｓを有することを特徴とするプラズマディスプレイパネル。
【請求項１２】
放電空間を介して対向配置された前面基板と背面基板とを有するプラズマディスプレイパネルにおいて，
前記背面基板上に蛍光体層が形成され，
前記前面基板上に水平方向に延びる複数の表示電極が形成され，隣接する表示電極間の領域に対応して放電セル領域が画定され，
前記表示電極は，前記放電セル領域上に配置された複数本の水平方向に延びる遮光性の維持電極と，前記表示電極から延在し前記複数本の維持電極を連結する連結部とを有し，
前記放電空間における前記遮光性の維持電極と蛍光体層との距離をＤとしたときに，当該遮光性の維持電極の幅Ｌと維持電極間距離Ｓとが，０．５８Ｄ≦Ｌ≦Ｄ，Ｄ≦Ｓ≦１．７３Ｄを満たすことを特徴とするプラズマディスプレイパネル。
【請求項１３】
請求項１２において，
前記表示電極の前記水平方向に延びる電極と前記遮光性の維持電極と前記連結部とが同じ金属材料で形成されていることを特徴とするプラズマディスプレイパネル。
【国際調査報告】
2008142728.tif 000016
2008142728.tif 000017